【事件の表示】
　平成　４年特許願第３５２８８４号「記録媒体演奏装置」拒絶査定に対する審判事件［平成　６年　６月２８日出願公開、特開平　６−１８０９３２］について、次のとおり審決する。
【結　論】
　本件審判の請求は、成り立たない。
【理　由】
１ 手続の経緯、本願発明
　本願は、平成４年１２月１４日の出願であって、その請求項１に係る発明は、平成１３年１１月１６日付け、及び平成１４年１２月２４日付けの各手続補正書によって補正された明細書及び図面の記載からみて、次のとおりのものと認める。
　「収容された複数の記録媒体の一つを選択して演奏する複数の演奏駆動手段と、
　ランダム演奏の開始を指示するランダム演奏指示手段と、
　前記ランダム演奏指示手段によるランダム演奏の開始の指示に基づき、ランダム計算を行う計算手段と、
　前記計算手段による計算結果に基づき、前記演奏駆動手段の一つを選択する第１の選択手段と、
　前記計算手段による計算結果に基づき、前記記録媒体の一つを選択する第２の選択手段と、
　前記計算手段による計算結果に基づき、トラック番号の一つを選択する第３の選択手段と、
　前記第１の選択手段、第２の選択手段、及び第３の選択手段全てに対応する演奏対象が存在するか否かを判別する判別手段と、
　前記判別手段により前記演奏対象が存在する場合、該演奏対象の演奏を行う制御手段と、
を備えたことを特徴とする記録媒体演奏装置。」(以下、「本願発明」という。)
　なお、請求項１には、「前記演奏駆動装置の一つを選択する第１の選択手段と、」と記載されているが、請求項１の全体をみれば、この記載は「前記演奏駆動
手段
　　
２ 当審の拒絶理由
　当審において平成１４年１０月１６日付けで通知した拒絶の理由のうち、理由Ｉの概要は次のとおりである。
　本件出願の請求項１〜３に係る発明は、その出願前に国内において頒布された下記の刊行物に記載された発明と同一であるか、又はその発明に基づいて当業者が容易に発明をすることができたものと認められるから、特許法第２９条第１項第３号又は同条第２項の規定により特許を受けることができない。
　　　　　　　　　　　　　　　記
　刊行物：特開昭６２−２１２９６６号公報
　　
３ 引用刊行物に記載された発明
　上記特開昭６２−２１２９６６号公報（以下、「引用刊行物」という。）には、収納している複数枚のディスクの中から所望のディスクの配置位置を検索し、そのディスクをアクセスして再生装置により再生するようにした複数台のディスクチェンジャ装置を制御装置に接続して管理制御する「ディスクチェンジャ制御装置」について、次の事項が記載されている。
　(ａ) 第１頁の「特許請求の範囲」において
　 「収納している複数毎のディスクの中から所望のディスクの配置位置を検索し、そのディスクをアクセスして再生装置により再生するようにした複数台のディスクチェンジャ装置を制御装置に接続して管理制御するディスクチェンジャ制御装置において、
　　上記複数台のディスクチェンジャ装置を制御装置に縦続接続するとともに、
　　設定操作可能なスイッチ手段と、上記制御装置にて与えられるディスク指定番号と上記スイッチ手段の設定により与えられる定数とを比較演算処理する演算処理手段を上記各ディスクチェンジャ装置の設け、
　　上記各ディスクチェンジャ装置において、上記演算処理手段によって上記ディスク指定番号が自己のアクセスすべきディスクを指定しているか否かを判定するとともに、その判定結果に応じてアクセスすべきディスクの配設位置データを算出して、指定されたディスクをアクセスして再生するようにしたことを特徴とするディスクチェンジャ制御装置。」
　(ｂ) 第３頁右上欄２〜１７行において
　 「この実施例は、システム全体を第１図のブロック図に示すように、（中略）システム全体の動作制御を行う再生制御装置２、この再生制御装置２に縦続接続された複数ｍ台のディスクチェンジャ装置３Ａ，３Ｂ，３Ｃ…、上記ディスクチェンジャ装置３Ａにてコンパクトディスクから再生されるサブコードデータをサブコードデコーダ４にてデコードして得られるビデオ信号（中略）が供給されるモニターテレビジョン受像機５、上記再生制御装置２を介して上記各ディスクチェンジャ装置３Ａ，３Ｂ，３Ｃ…から再生オーディオ信号が供給されるメインアンプ７、このメインアンプ７に接続されたマイクロホン８やスピーカ９等にて構成されている。」
　(ｃ) 第３頁右上欄１８行〜同頁右下欄３行において
　 「上記再生制御装置２は、第２図の外観斜視図に示してあるように、その前面パネルに、予約キー１１、ＢＧＭキー１２、取消キー１３、待機キー１４、変更キー１５や確認キー１６等の操作モードを指定するファンクションキーと、スタートキー１７、やり直しキー１８、終了キー１９等の動作モードを指定するオペレーションキーとデータ入力用の数値キー２０が配設されているとともに、設定データや動作状態等を表示する各種表示部２１が設けられている。そして、この再生制御装置２は、第３図のブロック図に構成を示してあるように、上記各種操作入力キー２２による操作を受け付けて、表示部２２の制御や上記ディスクチェンジャ装置３の動作制御を行う中央処理装置２３と上記各種操作入力キー２２による設定データを記憶する予約登録用の第１のメモリ２５、第１および第２のポインタレジスタ２６，２７や再予約登録用の第２のメモリ２９を備え、上記各種操作入力キー２２による設定データを入力バッファ２４を介して取り込んで、上記予約登録メモリ２５に書き込み、上記中央処理装置２３によって、上記表示部２２の制御を行うとともに、上記予約登録の第１のメモリ２５や再予約登録用の第２のメモリ２９から読み出される設定データを送信バッファ２６を介して上記ディスクチエンジャ装置３に供給して再生動作制御を行うようになっている。」
　(ｄ) 第３頁右下欄４行〜第４頁右上欄５行において
　 「また、上記ディスクチエンジ装置３は、第４図に示すように、複数ｎ枚のコンパクトディスク３０ａ，３０ｂ，…を収納するディスク収納部３１と、上記複数ｎ枚のコンパクトディスク３０ａ，３０ｂ，…の中から所望のディスクの配置位置をインデックスマーク３２を利用して検索し、そのディスクをアクセスして再生装置３４に装着するディスクキャリア３３とを備え、上記ディスクキャリア３３および再生装置３４の動作制御が上記再生制御装置２によって行われるようになっている。上記ディスクチエンジャ装置３は、その制御系の構成を第５図のブロック図に示すように、任意の数値データを設定操作自在なデジタルスイッチ等のスイッチ３５と、上記再生制御装置２から送られてくるデータを受信する受信部３６と、受信したデータと上記スイッチ３５により設定されたデータに基づいて必要な制御データを形成する中央処理装置３７と、該中央処理装置３７にて形成されるディスクアクセス制御信号を記憶するメモリ３８と、上記ディスクアクセス制御信号により指定されたディスクをアクセスして再生する駆動部３９と、上記中央処理装置３７により動作制御される送信バッファ４０を介して供給されるデータを後続のディスクチェンジャ装置に送信するための送信バッファ(「送信バッファ」は「送信部」の誤記)４１等を備えて成る。上記中央処理装置３７は、上記受信部３６にて受信したデータに含まれているディスク番号Ｄｍｎから「１」を減算する減算部４２、この減算部４２による減算出力〔Ｄmn−１〕を定数ｎ（この実施例ではｎ＝６０とする）で割る除算部４３、この除算部４３にて得られる商出力〔ＱＵ〕と上記スイッチ３５にて与えられる定数〔ＳＷ〕とを比較するデータ比較部４４、このデータ比較部４４の出力に応じて上記送信バッファ４０の動作制御を行うバッファ制御部４５、上記除算部４３にて得られる余出力〔ＳＵ〕に「１」を加算する加算部４６、この加算部４６の出力を上記データ比較部４４の出力に応じて選択的に上記メモリ３８に供給するゲート部４７や上記メモリ３８からディスクアクセス制御信号を読み出して上記駆動部３９に供給するディスクアクセス制御部４８等にて構成されている。」
　(ｅ) 第４頁右上欄６〜１３行において
　 「ここで、この実施例では、一台のディスクチェンジャ装置３が管理するコンパクトディスクの数ｎは６０枚とし、上記再生制御装置２によりディスクチェンジャ装置３を１６ 台まで管理できるよにしてある。また、上記再生制御装置２の予約登録メモリ２５には、９個の設定データを記憶する記憶場所ＭＡ１，ＭＡ２…ＭＡ９が設けられているものとする。」
　(ｆ) 第４頁右上欄１５行〜同左下欄１７行において
　 「上述の如き構成の実施例において、上記再生制御装置２の中央処理装置２３は、上記ファンクションキー１１，１２，１３，１４，１５，１６の操作状態を監視して、第６図のフローチ ャートに示すようなモード設定処理動作を行う。
　　すなわち、ファンクションキーの監視状態では、ファンクションキーが操作されたか否かを判定Ｆ１して、その判定結果がＹＥＳすなわちファンクションキーが操作された場合には、３０秒タイマＴＭ３０を起動Ｆ２し、操作されたキーが予約キー1１であるか否かの判定Ｆ３動作を行う。
　　この判定Ｆ３動作の結果がＹＥＳすなわち予約キー１１が操作された場合には、第１の動作モードとしてカラオケモードを示す予約フラグをセットＦ３０して、カラオケモードの予約登録処理を行う。
　　また、上記判定Ｆ３動作の結果がＮＯであればＢＧＭキー１２が操作されたのか否かの判定Ｆ４に移り、この判定Ｆ４動作の結果がＹＥＳすなわちＢＧＭキー１２が操作された場合には、第２の動作モードとしてＢＧＭモードを示す予約フラグをセットＦ４０して、ＢＧＭモードの予約登録処理を行う。」
　(ｇ) 第５頁左上欄６行〜同右上欄９行において
　 「ここで、上述の判定Ｆ３動作の結果がＹＥＳすなわち予約キー１１が操作された場合に行われるカラオケモードの予約登録処理では、カラオケモ−ドを示す予約フラグをセットＦ３０した後に、第１のポインタレジスタ２６の内容〔ＰＫ〕が「９」よりも小さいか否かの判定Ｆ３１動作を行い、上記予約登録用の第１のメモリ２５に第１の動作モードの予約設定データの記憶場所ＭＡ〔ＰＫ〕があるか否かを判定する。（中略）この判定Ｆ３１動作の結果がＮＯすなわち第１の動作モードの予約設定データの記憶場所ＭＡ〔ＰＫ〕がない場合には、フラグをリセットＦ９して、上記予約キー１１の操作を受け付けずに初期状態に戻る。また、上記判定Ｆ３１動作の結果がＹＥＳすなわち第１の動作モードの予約設定データの記憶場所ＭＡ〔ＰＫ〕がある場合には、数値キー２０の操作によるディスク番号〔Ｄmn〕（１〜ｍ・ｎすなわちこの実施例では９６０までの数値）の入力を受け付けＦ３２動作に移る。」
　(ｈ) 第５頁左下欄１３行〜第６頁左上欄１０行において
　 「そして、上記数値キー２０の操作により入力されるディスク番号〔Ｄmn〕が入力バッファ２４に正しく入力されたか否かの判定Ｆ３３動作を行う。上記判定Ｆ３３動作の結果がＮＯである場合には、上記３０秒タイマＴＭ３０がオーバーフローしたか否かの判定Ｆ３４動作を行い、上記３０秒タイマＴＭ３０がオーバーフローしているときには上記フラグのリセットＦ９に移り、上記３０秒タイマＴＭ３０がオーバーフローしていないときには上記ディスク番号〔Ｄmn〕の入力受け付けＦ３２動作に戻る。このループによりディスク番号〔Ｄmn〕を３０秒間だけ受け付けて、上記判定Ｆ３３動作の結果がＹＥＳすなわち適正にディスク番号〔Ｄmn〕の入力が行われると、ＢＧＭモードであるか否かの判定Ｆ３５動作に移る。
　　上記判定Ｆ３５では、セットされているフラグをチェックしてＢＧＭモードであるか否かの判定を行い、（中略）上記判定結果がＮＯすなわちカラオケモード（第１の動作モード）であれば、上記数値キー２０の操作による曲番号〔Ｍ０〕の入力を受け付けＦ３７動作に移り、曲番号が入力バッファ２４に正しく入力されたか否かの判定Ｆ３８動作を行う。上記判定Ｆ３８動作の結果がＮＯである場合には、上記３０秒タイマＴＭ３０がオーバーフローしたか否かの判定Ｆ３４’動作を行い、上記３０秒タイマＴＭ３０がオーバーフローしているときには上記フラグのリセットＦ９に移り、上記３０秒タイマＴＭ３０がオーバーフローしていないときには上記曲番号〔Ｍ０〕の入力受け付けＦ３７動作に戻る。このループにより曲番号〔Ｍ０〕の入力を３０秒間だけ受け付けて、上記判定Ｆ３８動作の結果がＹＥＳすなわち適正に曲番号〔Ｍ０〕の入力が行われると、上記入力バッファ２４に入力された設定データ〔ＤＲ〕ＩＮを設定登録メモリ２５に書き込む設定データの収納処理Ｆ３９動作に移る。」
　(ｉ) 第６頁右下欄１２行〜第７頁右上欄１１行において
　 「また、上記再生制御装置２の中央処理装置２３は、第８図のフローチャートに示すように、上記ディスクチェンジャ装置３から送られてくるモードデータをチェックして、上記ディスクチエンジャ装置３がセットアップモードにあるか否かの判定Ｃ１動作、エラーモードにあるか否かの判定Ｃ２動作、スタンバイモードにあるか否かの判定Ｃ３動作、再データ要求モ−ドにあるか否かの判定Ｃ４動作、ＮＧモードにあるか否かの判定Ｃ５動作、エンドモードにあるか否かの判定Ｃ６動作、さらに、プレーモードにあるか否かの判定Ｃ７動作を順次に行い、上記ディスクチェンジャ装置３の動作状態の管理を行っている。
　　上記ディスクチェンジャ装置３がディスクアクセスの途中等のセットアップモード状態になっているときには、上記判定Ｃ１動作の結果がＹＥＳとなって上記セットアップモードが終了するまで、この判定Ｃ１を繰り返し行う。
　　また、上記ディスクチェンジャ装置３ 側でフォーカスエラー等のエラー状態が発生しているときには、次の判定Ｃ２動作の結果がＹＥＳとなってタイマーを動作させて所定の時間待機するエラー処理を行う。
　　さらに、上記ディスクチェンジャ装置３側が、設定データに応じたディスクアクセスを完了し、直ちに演奏を開始することのできるスタンバイモードになると、次の判定Ｃ３動作の結果がＹＥＳとなって、上記スタートキー１７が操作されたか否かの判定Ｃ３０動作を行って、上記ス夕ートキー１７が操作されると演奏動作を開始するスタート処理Ｃ３１を行う。
　　さらに、上記ディスクチェンジャ装置３側でデータを正常に受信することができなかったときには、次の判定Ｃ４動作の結果がＹＥＳとなって、送信バッファ２８から先に送信した設定データ〔ＤＲ〕をそのまま再度送信Ｃ６６する。
　　さらに、上記ディスクチェンジャ装置３側に機械的な不良が発生しているときには、次の判定Ｃ５動作の結果がＹＥＳとなって、全ての動作をキャンセルしてＮＧ処理Ｃ５０を行う。」
　(ｊ) 第７頁右下欄５行〜第８頁左上欄末行において
　 「また、この実施例において、上記再生制御装置２の中央処理装置２３は、上記オペレーションキー１７，１８，１９の操作状態を監視して、第９図のフローチャートに示すような動作制御処理動作を行う。
　　すなわち、オペレーションキーの監視状態では、オペレーションキーが操作されたか否かを判定Ｐ１して、その判定結果がＹＥＳすなわちオペレーションキーが操作された場合には、操作されたのがスタートキー１７であるか否かの判定Ｐ２動作、操作されたのがやり直しキー１８であるか否かの判定Ｐ３動作、あるいは、操作されたのが終了キー１９であるか否かの判定Ｐ４動作を順次に行う。
　　上記判定Ｐ２動作の結果がＹＥＳすなわちスタートキー１７が操作されたときには、予約登録用の第１のメモリ２５の先頭記憶場所Ｍ１に記憶されている設定データを捨て、次に演奏する設定データを上記先頭記憶場所に転送するとともに、他の設定データも各記憶場所を１個ずつずらすデータ転送Ｐ２１処理を行い、（中略）。その後、送信バッファ２８にスタートデータ（ＡＥ）をセットＰ２６して、このスタートデータ（ＡＥ）をディスクチェンジャ装置３に送信Ｐ２７して演奏動作を開始させるとともに、各種表示部２１の表示制御Ｐ２８を行いスタート処理を終了する。」
　(ｋ) 第９頁右上欄２行〜同左下欄末行において
　 「さらに、この実施例において、上記ディスクチェンジャ装置３の中央処理装置３７は、上記再生制御装置２の送信バッファア２８から送信される設定データ〔ＤＲ〕を上記受信部３６にて受信し、上記設定データ〔ＤＲ〕に基づいて第１１図のフローチャートに示すような処理動作を行う。
　　すなわち、上記中央処理装置３７は、受信した設定データ〔ＤＲ〕に含まれているディスク番号Ｄmnから「１」を減算し、その減算出力〔Ｄmn−１〕を定数ｎ（ｎ＝６０）で割る除算処理Ｒ１を行う。そして、上記除算処理Ｒ１にて得られる商出力〔ＱＵ〕と上記スイッチ３５にて与えられる定数〔ＳＷ〕と比較Ｒ２して、一致しているときには送信バッファ４０に停止データ〔ＣＥ〕をセットＲ４し、また、不一致のときには受信した上記設定データ〔ＤＲ〕をそのまま上記送信バッファ４０にセットＲ９して、後段のディスクチェンジャ装置が正常の動作しているか否かの判定Ｒ５，Ｒ９動作を行う。
　　そして、上記判定Ｒ５動作の結果がＹＥＳであれば、上記停止データ〔ＣＥ〕を送信バッファ４０から後段のディスクチェンジャ装置に送信Ｒ６して該ディスクチェンジャ装置の演奏動作を停止させ、上記除算処理Ｒ１により得られる余出力〔ＳＵ〕に「１」を加算した数値を自己管理データとしてメモリ３８に取り込み、メカニズムをアクセスＲ７して上記設定データ〔ＤＲ〕にて指定された曲目の演奏を行う。
　　また、上記判定Ｒ９動作の結果がＹＥＳであるれば、上記設定データ〔ＤＲ〕を送信バッファ４０から後段のディスクチェンジャ装置に送信Ｒ１０して、後段側のディスクチェンジャ装置に上記設定データ〔ＤＲ〕が自己の管理しているディスクの演奏動作をしている否かの同様な判断を行わせる。なお、上記判断Ｒ９動作の結果がＮＯで後段のディスクチェンジャ装置が正常に動作していないときには、エラー信号を上記再生制御装置２に送信Ｒ１１する。」
　(ｌ) 第１〜６図、第８〜９図及び第１１図において
　　第１図にはＣＤプレーヤを使用した演奏再生システムが、第２〜３図には前記演奏再生システムにおける再生制御装置が、第４〜５図には前記演奏再生システムにおけるディスクチェンジャ装置が、第６図及び第８〜９図には前記再生制御装置における中央処理装置の動作が、また第１１図には前記ディスクチェンジャ装置における中央処理装置の動作が、それぞれ示されている。
　　
　そして、上記記載事項(ｃ),(ｄ),(ｇ),(ｈ),(ｋ)及び第２,３,５,６,１１図をみれば、ディスクチェンジャ装置(3)は、任意の数値データを設定操作自在なスイッチ(35)と、再生制御装置(2)から送信される設定データ〔ＤＲ〕（ディスク番号〔Ｄmn〕と曲番号〔Ｍ０〕を含む）を受信する受信部(36)と、中央処理装置(37)等を備えており、この中央処理装置(37)においては、前記設定データ〔ＤＲ〕に基づいて、再生動作すべきディスクチェンジャ装置を選択すると共に、演奏すべきコンパクトディスクと曲目についても選択するように構成されているから、上記引用刊行物に記載されたディスク再生装置は、複数のディスクチェンジャ装置(3A,3B,3C…)の中から一つを選択する「第１の選択手段」、該ディスクチェンジャ装置(3)に収納された複数のコンパクトディスク(30a,30b…)の中から一つを選択する「第２の選択手段」、及び該コンパクトディスク(30)に記録された複数の曲目の中から一つを選択する「第３の選択手段」を備えていることが明らかである。
　また、上記記載事項(ｃ),(ｄ),(ｉ)〜(ｋ)及び第１〜５,８,９,１１図をみれば、ディスクチェンジャ装置(3)におけるスイッチ(35)、受信部(36)、メモリ(38)、送信バッファ(40)、及び送信部(41)等を備える中央処理装置(37)と、再生制御装置(2)とは、上記第１〜３の選択手段により選択された曲目の演奏を行う「制御手段」を構成していることが明らかである。
　　
　してみれば、上記引用刊行物には、以下の発明が記載されていることになる。
　「収容された複数のコンパクトディスク(30a,30b…)の一つを選択して演奏する複数のディスクチェンジャ装置(3A,3B,3C…)と、
　再生制御装置(2)から送られる設定データ(ＤＲ)に基づき、前記ディスクチェンジャ装置(3A,3B,3C…)の一つを選択する第１の選択手段と、
　前記設定データ(ＤＲ)に基づき、前記コンパクトディスク(30a,30b…)の一つを選択する第２の選択手段と、
　前記設定データ(ＤＲ)に基づき、指定された曲番号(Ｍ０)を選択する第３の選択手段と、
　前記第１の選択手段、第２の選択手段、及び第３の選択手段より選択された曲目の演奏を行う制御手段と、
を備えたディスク再生装置。」（以下、「引用刊行物に記載の発明」という。）
　　
４ 対　比
　そこで、本願発明（前者）と引用刊行物に記載の発明（後者）とを比較すると、後者における「コンパクトディスク」、「ディスクチェンジャ装置」、「第１の選択手段、第２の選択手段、及び第３の選択手段より選択された曲目」、及び「ディスク再生装置」は、それぞれ前者における「記録媒体」、「演奏駆動手段」、「第１の選択手段、第２の選択手段、及び第３の選択手段全てに対応する演奏対象」、及び「記録媒体演奏装置」に相当するものであるから、両者は以下の一致点及び相違点を有するものである。
　[一致点]
　「収容された複数の記録媒体の一つを選択して演奏する複数の演奏駆動手段と、
　前記演奏駆動手段の一つを選択する第１の選択手段と、
　前記記録媒体の一つを選択する第２の選択手段と、
　前記記録媒体の演奏すべき個所を選択する第３の選択手段と、
　前記第１の選択手段、第２の選択手段、及び第３の選択手段全てに対応する演奏対象の演奏を行う制御手段と、
を備えた記録媒体演奏装置。」
　[相違点]
　(i) 前者においては、ランダム演奏の開始を指示するランダム演奏指示手段と、前記ランダム演奏指示手段によるランダム演奏の開始の指示に基づき、ランダム計算を行う計算手段と、を備えているのに対して、後者では、これらの手段を備えていない点。
　(ii) 第１〜３の選択手段によって行われる選択が、前者においては、ランダム計算を行う計算手段による計算結果に基づくものであるのに対して、後者では、再生制御装置から送られる設定データに基づくものである点。
　(iii) 第３の選択手段によって記録媒体の演奏すべき個所を選択するとき、前者においては、トラック番号の一つを選択するのに対して、後者では、曲番号の一つを選択する点。
　(iv) 前者においては、演奏対象が存在するか否かを判別する判別手段を備えており、この判別手段により前記演奏対象が存在する場合に、該演奏対象の演奏を行うのに対して、後者では、このような判別手段を備えていない点。
　　
５ 当審の判断
　以下、上記各相違点について検討する。
　(1) 相違点(i)及び(ii)について
　　記録媒体演奏装置において、ランダム演奏の開始を指示するランダム演奏指示手段と、該ランダム演奏指示手段による開始の指示によりランダム計算を行う計算手段とを備え、該計算手段の計算結果に基づいて演奏対象を選択してランダム演奏ができるように構成することは、従来から周知の技術的事項であり（例えば、特開昭６２−４６４８０号公報、特開平１−１６５０６５号公報、及び実願昭６３−１４１４９４号(実開平２−６５２８８号)のマイクロフィルム参照）、この周知の技術的事項を引用刊行物に記載の発明に適用して本願発明を構成することは、当業者であれば必要に応じて適宜採用することができる事項であり、この点に格別の困難性は見当たらない。
　(2) 相違点(iii)について
　　引用刊行物に記載の発明において曲番号の一つを選択することは、結局、記録媒体（コンパクトディスク）においてトラックを選択することに他ならないから、この相違点(iii)は格別のことではない。
　(3) 相違点(iv)について
　　特開昭６２−４６４８０号公報（上記(1)の１番目の周知例と同じ）には、ランダム演奏を行う情報再生装置において、マガジン(1)に収容されるべき複数のディスクのうち存在しないディスクがある場合、又は乱数発生回路(10)により生成されたディスクナンバーのディスクが実際には存在しない場合における、演奏対象の選定について開示されている（特に、第３頁左上欄７〜１４行、同頁左下欄９行〜右下欄１４行、及び第２図のＳ10,Ｓ11を参照）。
　　また、特開昭５９−１７５０６７号公報には、ランダム再生を行う再生装置において、アドレス信号発生回路(17)からランダムに発生されるアドレス信号Ｂが、ディスク(1)に存在するアドレスＡの範囲内（Ａ≧Ｂ）にあるか否かを判別することが開示されている。（特に、第４頁左下欄６行〜同右下欄４行、及び第１図を参照）。
　　このような事項を考慮すれば、ランダム演奏を行う記録媒体演奏装置において、演奏すべき演奏対象を速く確実に演奏することができるように、予めその演奏対象の存在を確認することは、普通に行われている技術的事項である。
　　してみれば、引用刊行物に記載の発明に対して上記周知の技術的事項を適用して本願発明を構成するとき、演奏対象が存在するか否かを判別する判別手段を設けることは、当業者であれば必要に応じて適宜採用することができる設計的事項である。
　そして、本願発明を全体的にみても、上記引用刊行物に記載の発明及び周知の技術的事項から当業者が当然予測できる範囲を超える格別の作用・効果を見出すことができない。
　　
６ むすび
　以上のとおりであって、本願発明は、引用刊行物に記載の発明に基づいて、当業者が容易に発明をすることができたものであるから、特許法第２９条第２項の規定により特許を受けることができない。
　よって、結論のとおり審決する。